(57)【要約】【課題】災害時等に、一度に多量のお湯を供給できる給湯器を提供する。【解決手段】蛇口３１ａから湯を供給する給湯器１であって、前記給湯器１を、コンロ２と、底面の近傍に蛇口３１ａを備えた鍋３と、により構成する。【選択図】図５
2008106956.tif 000002
【特許請求の範囲】
【請求項１】
蛇口から湯を供給する給湯器であって、
前記給湯器は、
コンロと、
底面の近傍に蛇口を備えた鍋と、から構成されていること
を特徴とする給湯器。
【請求項２】
前記鍋を囲む保護部材を設け、この保護部材に前記蛇口を貫通させるための貫通部を形成したこと
を特徴とする請求項１に記載の給湯器。
【請求項３】
前記鍋と前記保護部材との間に、前記コンロからの熱を断熱するための断熱部材を設け、この断熱部材に前記蛇口を貫通させるための貫通部を形成したこと
を特徴とする請求項２に記載の給湯器。
【請求項４】
物品を載置するための載置部材を、前記保護部材の上部に着脱可能に設けたこと
を特徴とする請求項３に記載の給湯器。
【請求項５】
前記コンロの外側で前記保護部材を支持するための脚部を、前記保護部材の下部に設けたこと
を特徴とする請求項４に記載の給湯器。
【発明の詳細な説明】
【技術分野】
【０００１】
本発明は、可搬タイプの給湯器に関し、特に一度に多量のお湯を供給することのできる給湯器に関する。
【背景技術】
【０００２】
従来、お湯を供給できる可搬タイプの給湯器として、電気ヒータ式のものが知られている（例えば、特許文献１参照）。
【０００３】
また、ヒータの電源が近くに存在しない屋外等でお湯を供給する場合には、カセット式コンロと鍋若しくはやかんとを組み合わせてお湯を沸かすことが知られている。
【０００４】
【特許文献１】実公平７−４０９２７号公報
【発明の開示】
【発明が解決しようとする課題】
【０００５】
しかしながら、電気ヒータ式の給湯器は、災害等で停電した場合には使用することができないという問題がある。
【０００６】
一方、カセット式コンロと鍋等を組み合わせて使用する場合には、鍋等をコンロから持ち上げてからお湯を供給することになる。このため、使用者の操作できる重量を考慮すると鍋等の容量が限られてしまい、一度に多量のお湯を供給することができず、例えば、炊き出し等で一度に多量のお湯を必要とする災害時の避難場所等では、お湯の供給量が絶対的に不足するという問題がある。
【０００７】
本発明の目的は、上記のような問題点を考慮し、災害時等に、一度に多量のお湯を供給できる給湯器を提供することにある。
【課題を解決するための手段】
【０００８】
本発明は、上記のような目的を達成するためになされたものであり、この目的は、下記（１）〜（５）の発明によって達成される。
【０００９】
（１）蛇口から湯を供給する給湯器であって、
前記給湯器は、
コンロと、
底面の近傍に蛇口を備えた鍋と、から構成されていること
を特徴とする給湯器。
【００１０】
（２）前記鍋を囲む保護部材を設け、この保護部材に前記蛇口を貫通させるための貫通部を形成したこと
を特徴とする上記（１）に記載の給湯器。
【００１１】
（３）前記鍋と前記保護部材との間に、前記コンロからの熱を断熱するための断熱部材を設け、この断熱部材に前記蛇口を貫通させるための貫通部を形成したこと
を特徴とする上記（２）に記載の給湯器。
【００１２】
（４）物品を載置するための載置部材を、前記保護部材の上部に着脱可能に設けたこと
を特徴とする上記（３）に記載の給湯器。
【００１３】
前記コンロの外側で前記保護部材を支持するための脚部を、前記保護部材の下部に設けたこと
を特徴とする上記（４）に記載の給湯器。
【発明の効果】
【００１４】
本発明に係る給湯器によれば、災害時等においても、一度に多量のお湯を供給することができる。
【発明を実施するための最良の形態】
【００１５】
以下、本発明に係る給湯器を実施するための一実施の形態について、図面を参照して説明するが、本発明は以下の実施の形態に限定されるものではない。
【００１６】
図１は、本発明の一実施の形態に係る給湯器１の分解斜視図を示したものである。
図１に示すように、本実施の形態に係る給湯器１は、コンロ２と、鍋３と、保護部材４と、断熱部材５と、載置部材６とから構成されている。
【００１７】
コンロ２は、小型のボンベを着脱可能に交換できるカセット式コンロであって、バーナー２ａと、バーナー２ａを着火させるためのスイッチ２ｂとを備えている。また、バーナー２ａの周囲には、鍋等を支持するための支持部材２ｃが、等間隔で設けられている。なお、バーナー２ａの周囲には、風よけのための風防部材を設けてもよい。
【００１８】
鍋３は、鍋本体３１と鍋蓋３２とで構成されている。
鍋本体３１は、円筒状に形成されており、底面３１ｄの近傍であって鍋本体３１の側面には、蛇口３１ａが設けられている。蛇口３１ａは、溶接によって鍋本体３１に取り付けられる。このように、本実施形態の給湯器１によれば、底面近傍に蛇口３１ａを備えた鍋３を用いるので、鍋の内部に溜められている湯の大部分を使うことができるとともに、鍋を持ち上げずにお湯を供給することができるので、ある程度鍋の容量を大きくすることが可能となり、一度に多量の湯を供給することができる。したがって、例えば、災害時の避難所等のように、緊急用のドライフーズを大量に調理する必要が場合であっても、一度に多量の湯を供給することでき、温かい食事を提供することができる。また、コンロ２に鍋３を載置させた状態で、蛇口３１ａを操作できるので、安全な状態でお湯を供給することができる。
【００１９】
また、蛇口３１ａは、底面３１ｄから所定の距離を隔てるようにして取り付けられている。このように底面から所定距離を隔てて蛇口３１ａを設けることにより、鍋本体３１の内部には、常に一定量の湯が残存することになるので、空焚きを防止することができる。なお、本実施形態では、鍋本体３１の容量が７リットルであるのに対して、約１リットルのお湯が鍋の内部に残存するように設定されている。
【００２０】
図２は、蛇口３１ａが取り付けられている付近の鍋本体３１の拡大図であるが、図２に示すように、蛇口３１ａが取り付けられている鍋本体３１の側面には、溶接によって、蛇口３１ａの根元部分を覆うように耐熱カバー３４が設けられている。耐熱カバー３４は、上向きに開口を有するＵ字形状で構成されており、下方より供給されるバーナー２ａの排熱から蛇口３１ａを保護することができる。
【００２１】
図３は、鍋本体３１を底面方向から見た際の平面図であるが、図３に示すように、鍋本体３１の底面３１ｄには、溶接によって、複数の係合部材３１ｃが取り付けられている。係合部材３１ｃには、コンロ２の支持部材２ｃと係合するための凹部等が形成されている。この凹部と支持部材２ｃとを係合させることにより、鍋３をコンロ２にしっかりと載置させることができ、給湯器１を安定した状態で使用することができる。
【００２２】
蛇口３１ａのバルブ３１ｂを捻ることにより、鍋本体３１に溜められたお湯を供給することができる。バルブ３１ｂは、鍋本体３１から所定距離を隔てた位置に設けられている。このように、鍋本体３１から所定距離を離してバルブ３１ｂを設けることにより、バルブ３１ｂを操作する際に、熱せられた断熱部材５等に指等が触れることを防止することができる。
【００２３】
本実施形態では、鍋本体３１は、部材の加工・溶接の容易性や保温性を考慮して、ステレンス材で構成されているが、水の沸きあがり時間を考慮して、熱伝導性の高いアルミ材で構成するようにしてもよい。また、お湯の残存量の確認を容易にするために、鍋本体の側面の一部に耐熱ガラスで構成された除き窓を設けるようにしてもよい。
【００２４】
鍋蓋３２は、円盤状に形成されており、中央部付近には、鍋蓋３２を鍋本体３１に対して着脱するための把手３３が設けられている。図４は、鍋蓋３２の構成図であるが、図４に示すように、把手３３の下方には、凹部３２ａが形成されており、凹部３２ａの中央には、鍋本体３１内部で発生した蒸気を上方へ逃がすための蒸気孔３２ｂが形成されている。このように、凹部３２ａを設けて、凹部３２ａに掛け渡されるように把手３３を取り付けることにより、鍋蓋３２の上部を平らに成形することができる。
【００２５】
また、把手３３の中央部にも、蒸気孔３３ｂが形成されている。蒸気孔３２ｂ及び蒸気孔３３ｂは、上下方向に一列となるように配置されており、後述するように、ロート部材を挿入して保持するための機能をも有している。
【００２６】
なお、本実施形態では、蒸気孔３２ｂは、凹部３２ａに１個形成したが、凹部３２ａ以外の場所に複数設けるようにしてもよい。蒸気孔を２個以上設けることにより、鍋蓋３２を閉じた状態で、鍋本体３１への採光が可能となって、お湯の残存量の確認を容易に行うことができる。また、本実施形態では、鍋蓋３２は、鍋本体３１と同じステレンス材で構成されているが、お湯の残存量の確認を容易にするために、耐熱ガラス等を用いた透明の蓋としてもよい。
【００２７】
保護部材４は、略正方形状に成形されており、格子状の外壁４１を有するように構成されている。保護部材４は、鍋３と同様にステレンス材で構成されている。外壁４１は、鍋３を囲むように構成されており、外壁４１の一部には、鍋本体３１の蛇口３１ａを貫通させるための貫通部４ａが設けられている。貫通部４ａは、保護部材４で鍋３を囲んだ際に蛇口３１ａと対応する位置にまで、保護部材４の上周端部からの切り込みを形成することにより構成されている。
【００２８】
このように、本実施形態の給湯器１では、保護部材４に、蛇口３１ａを貫通させるための貫通部４ａを形成しているので、鍋３を保護部材４で囲んで給湯器１を組み立てる際に、蛇口３１ａが邪魔になることはない。また、貫通部４ａは、鍋３の蛇口３１ａを保護部材４に組み付ける際のガイド機能を有するので、給湯器１の組み立て作業効率を高めることができる。
【００２９】
保護部材４の下部には、給湯器３を屋外で使用する際に、コンロのバーナー２ａへの風の影響を低くするための防風カバー７が一体に設けられている。防風カバー７の一部には、鍋本体３１の蛇口３１ａを貫通させるための貫通部７ａが設けられている。また、貫通部７ａの近傍には、コンロ２のバーナー２ａの状態を確認するための覗き窓７ｂが設けられている。覗き窓７ｂを設けることにより、保護部材４を外すことなく、バーナー２ａの状態を容易に確認することができる。なお、この防風カバー７には、外部から空気をコンロ２に取り入れるための通風孔を形成するようにしてもよい。
【００３０】
また、保護部材４の下部には、脚部４２が設けられている。脚部４２は、外壁４１の格子を形成する部材の一部をＵ字状に折り曲げることにより構成されている。脚部４２は、コンロ２の外郭の外側に位置するように構成されており、給湯器１が載置されている地面等に接触して保護部材４を支える。このように、保護部材４、保護部材４に支持された載置部材６及び載置部材６に載置された缶詰等の重量を、脚部４２で支えることによって、コンロ２にかかる負担重量を軽減し、給湯器１の製品寿命を長くすることができる。
【００３１】
断熱部材５は、鍋本体３１の側面に沿うように円筒状に形成されている。断熱部材５を設けることで、バーナー２ａからの熱を逃がさずに断熱することができるため、給湯器１の熱効率を向上させることができる。また、屋外等で使用する際における防風機能も向上させることができる。
【００３２】
断熱部材５の上周端部には、コンロ２に対して断熱部材５を着脱可能にするための把手５３が溶接により取り付けられている。また、断熱部材５の一部には、鍋本体３１の蛇口３１ａを貫通させるための貫通部５ａが形成されている。この貫通孔５ａは、断熱部材５で鍋３を囲んだ際に、蛇口３１ａと対応する位置にまで、断熱部材５の下周端部からの切り込みを形成することにより構成されている。
【００３３】
このように、本実施形態の給湯器１では、断熱部材５に、蛇口３１ａを貫通させるための貫通部５ａを形成しているので、鍋３を断熱部材５で囲んで給湯器１を組み立てる際に、蛇口３１ａが邪魔になることはない。また、貫通部５ａは、断熱部材５を鍋３の蛇口３１ａに取り付ける際のガイド機能を有するので、給湯器１の組み立て作業効率を高めることができる。
【００３４】
また、断熱部材５の内周面には、溶接によって貫通部５ａに沿うように耐熱カバー５１を形成するようにしてもよい。このように、貫通部５ａに沿って耐熱カバー５１を設けることにより、鍋３と断熱部材５との間を通過するバーナー２ａの排熱から蛇口３１ａを保護することができる。特に、蛇口３１ａの存在によって排熱が渦状となり、蛇口３１ａの上方から回りこむような場合に有効である。また、上述した鍋本体３１に設けられた耐熱カバー３４と組み合わせることで、より確実にバーナー２ａの排熱から蛇口３１ａを保護することができる。
【００３５】
断熱部材５及び把手５３は、鍋３と同様にステレンス材で構成されている。また、断熱部材５は、鍋３と保護部材４との間に位置するように、コンロ２に対して着脱可能となっている。
【００３６】
載置部材６は、略正方形状の側壁部６１と、側壁部６１に着脱可能に構成された網部材６２とを備えている。側壁部６１に対して網部材６２を着脱可能とすることにより、載置部材６を取り外さずに、鍋３に水を補給することできる。また、網部材６２のメンテナンス等を簡単に行うことができる。
【００３７】
網部材６２は、網目を有する略正方形状の扁平部材であって、鍋３から供給される蒸気を通過させる。また、側壁部６１の上部には、溶接により把手６３が設けられている。載置部材６及び把手６３は、保護部材４と同様にステレンス材により構成されている。
【００３８】
網部材６２には、缶詰等の物品が載置されて、コンロ２からの排熱や鍋３から供給される蒸気によって加熱される。また、側壁部６１の下端部の形状と保護部材４の上端部の形状とは、略一致するように形成されており、把手６３により、載置部材６を保護部材４に対して着脱することができる。
【００３９】
図５は、ロート部材を用いた場合の使用状態を示す図であり、図５に示すように、載置部材６の網部材６２の上方からロート状部材１０を、鍋蓋３２に形成された蒸気孔３２ｂ、３３ｂに挿入し、ペットボトル等の水を鍋３に供給することができる。これにより、網部材６２を取り外すことなく、鍋３に水を補給することができる。
【００４０】
図６は、本発明の一実施の形態に係る給湯器の斜視図である。
図６において、図１と対応する部分には同一の符号を付してその説明を省略する。
【００４１】
本実施形態の給湯器１は、まず、保護部材４を、コンロ２の外側に脚部４２が位置するようにして、コンロ２に取り付ける。次に、鍋３を、保護部材４に形成された貫通部４ａと蛇口３１ａとが合致するようにして、コンロ２の支持部材２ｃ上に載置する。次に、断熱部材５を、鍋３と保護部材４との間に位置するようにして、コンロ２に取り付ける。このとき、断熱部材５に形成された貫通部５ａと蛇口３１ａとを合致するようにする。最後に、載置部材６の下端部を、保護部材４の上端部と合致するようにして、給湯器１を組み付ける。なお、鍋３に水を供給するタイミングは、鍋３をコンロ２に載置したタイミングでもよいし、給湯器１の組み付け完成後にロート状部材１０を用いて行ってもよい。
【００４２】
図６に示すように、組み立てられた本実施形態の給湯器１では、鍋３の蛇口３１ａは、保護部材４の外壁４１から突出するように構成されており、使用者は、単にノズル３１ｂを捻るだけで、鍋３内のお湯を使用することができる。したがって、本実施形態の給湯器１によれば、避難場所等においても、簡単にドライフーズのような避難食を調理することができ、温かい状態の食事を提供することができる。
【００４３】
また、本実施形態の給湯器１によれば、お湯を沸かすと同時に、載置部材６の網部材６２に缶詰等を載置するだけで、缶詰等を加温状態にすることができる。
【００４４】
また、本実施形態の給湯器１によれば、保護部材４により、鍋３及び断熱部材５が囲われているので、例えば、災害避難所等の人の多い場所で給湯器１を使用する場合であっても、人が熱せられた鍋等に直接触れることがなく、給湯器の安全性を向上させることができる。
【００４５】
図７は、図６中のＡ−Ａ線で切断した給湯器１の断面図である。
【００４６】
図７に示すように、コンロ２のスイッチを捻ることにより、コンロのバーナー２ａが着火する。バーナー２ａは、鍋３の中に溜められた水を加熱するとともに、バーナー２ａにより生じた排熱は、図中の矢印で示したように、鍋３と断熱部材５との間にできた隙間９を通って、鍋３の上方へ向かって放出される。一方、鍋３の内部で発生した蒸気は、鍋蓋３２に形成された蒸気孔３２ｂ、３３ｂを通って、鍋３の上方に向かって放出される。放出された排熱及び蒸気は、載置部材６の網部材６２を通過して、給湯器１の上方へ放出される。
【００４７】
本実施形態の給湯器１では、鍋３の上部に放出された排熱や蒸気によって、載置部材６の網部材６２に載置されている缶詰８等の加温食材を温めることができる。したがって、本実施形態の給湯器１によれば、一度に多量の湯を供給すると同時に、温められた缶詰等を供給することができるので、非難場所等において、温かい状態の食事を大量に提供することができる。
【００４８】
なお、本発明の給湯器は、上述の各形態に限定されるものではなく、特に保護部材、断熱部材、載置部材は、その他材料、構成等において本発明の構成を逸脱しない範囲において種々の変形、変更が可能であることはいうまでもない。
【図面の簡単な説明】
【００４９】
【図１】本発明の一実施形態に係る給湯器の分解斜視図である。
【図２】蛇口が取り付けられている付近の鍋の拡大図である
【図３】本発明の一実施形態で使用する鍋を底面方向から見た際の平面図である
【図４】本発明の一実施形態で使用する鍋蓋の構成図である。
【図５】ロート部材を用いた場合の使用状態図である。
【図６】本発明の一実施形態に係る給湯器の斜視図である。
【図７】図６中のＡ−Ａ線で切断した給湯器の断面図である。
【符号の説明】
【００５０】
１・・給湯器、２・・コンロ、２ａ・・バーナー、２ｂ・・スイッチ、２ｃ・・支持部材、３・・鍋、３１・・鍋本体、３１ａ・・蛇口、３１ｂ・・バルブ、３１ｃ・・係合部材、３１ｄ・・底面部、３２・・鍋蓋、３２ａ・・凹部、３２ｂ・・蒸気孔、３３・・把手、３３ｂ・・蒸気孔、４・・保護部材、４ａ・・貫通孔、４１・・外壁、４２・・脚部、５・・断熱部材、５１・・耐熱カバー、５３・・把手、６・・載置部材、６１・・側壁部、６２・・網部材、６３・・把手、６４・・載置板、７・・防風カバー、７ａ・・貫通部、７ｂ・・覗き窓、８・・缶詰等、９・・隙間、１０・・ロート部材
【図１】
2008106956.tif 000003
【図２】
2008106956.tif 000004
【図３】
2008106956.tif 000005
【図４】
2008106956.tif 000006
【図５】
2008106956.tif 000007
【図６】
2008106956.tif 000008
【図７】
2008106956.tif 000009